(57)【特許請求の範囲】
【請求項１】
内部に位置して空気を吸引するモータと本体の後方に形成され、モータにより吸引された空気が通過する吸込口と織物及び掃除部のほこりを吸引するために前方に形成される吸引部と前記吸引部に形成される織物及び掃除部のほこりの排出口を有する本体と、
両端が前記吸込口と前記織物及び掃除部のほこりの排出口とに接続されて、吸引通路の役割をする吸引ホースと、
前記吸引部に結合されて、織物及び掃除部のほこりを叩くためにブラシモータで駆動するブラシと、
吸引ホースが織物及び掃除部のほこりの排出口に結合された際、ブラシスイッチがオンになってブラシモータが動作し、吸引ホースが織物及び掃除部のほこりの排出口から結合解除した際、ブラシスイッチがオフとされることで、ブラシモータの動作を中止させることによって前記ブラシモータを制御するブラシスイッチと、
を含み、
吸引ホースは、それの本体側部分にスイッチ突起を持つように構成され、
ブラシスイッチは、本体側面から突き出て設けられて、本体の吸引ホース側の面に対して直交する動きをするように構成され、
ブラシは、吸引ホースが織物及び掃除部のほこりの排出口に結合された際、吸引ホースのスイッチ突起と、本体のブラシスイッチとが接触し、ブラシスイッチがオンになってブラシモータが駆動してブラシが動作し、吸引ホースが織物及び掃除部のほこりの排出口から結合解除した際、吸引ホースのスイッチ突起と本体のブラシスイッチとが離間し、ブラシスイッチがオフになってブラシモータの駆動が中止してブラシの動作が中止するように構成されることを特徴とする真空掃除機。
【請求項２】
前記吸引ホースの前記スイッチ突起は、
前記織物及び掃除部のほこりの排出口と結合する部位に形成され、前記ブラシスイッチをオン、オフさせることを特徴とする請求項１に記載の真空掃除機。
【請求項３】
前記本体は、
前記吸引部前方に結合されたランプハウジングと、
前記ランプハウジングに装着され、殺菌消毒のための紫外線ランプと、
をさらに含むことを特徴とする請求項１に記載の真空掃除機。
【請求項４】
前記ランプハウジングは、
前記本体と一体に形成された一体型であることを特徴とする請求項３に記載の真空掃除機。
【請求項５】
前記紫外線ランプは、
吸引ホースが織物及び掃除部のほこりの排出口に結合された際、ブラシスイッチがオンになってブラシモータの駆動に伴うブラシの動作と共に紫外線ランプが動作し、吸引部の織物及び掃除部のほこりの排出口に結合された吸引ホースの結合を解除すると、ブラシモータの駆動が中止してブラシの動作も中止され、紫外線ランプの動作も中止されることによって制御されることを特徴とする請求項３に記載の真空掃除機。
【請求項６】
前記紫外線ランプは、
前記モータを制御するメインスイッチによって制御されることを特徴とする請求項３に記載の真空掃除機。
【請求項７】
前記紫外線ランプは、
前記ランプハウジングと本体とが分離している場合、前記紫外線ランプに本体から電源が供給できるように電源接続する電源端子と、
電源を制御するランプスイッチと、
を含むことを特徴とする請求項３に記載の真空掃除機。
【請求項８】
前記紫外線ランプは、
本体に設けられた車輪が地面に接触すると紫外線ランプが動作し、本体に設けられた車輪が地面から離隔されると紫外線ランプの動作が中止するランプスイッチを有することを特徴とする請求項３に記載の真空掃除機。
【請求項９】
前記本体には、
前記本体の後方に突出するように結合された集塵ボックスと、
前記集塵ボックスの一側にヒンジが結合され、他側に締結結合される締結部を有する蓋と、
を含むことを特徴とする請求項１に記載の真空掃除機。
【請求項１０】
前記本体には、
前記ブラシの動作を表示するブラシランプと、
前記紫外線ランプの動作を表示する紫外線動作ランプと、
前記モータの動作で真空状態を表示するモータランプと、
を含むことを特徴とする請求項３に記載の真空掃除機。
【請求項１１】
前記ブラシスイッチは、
前記吸引ホースの結合有無を検知する検知式スイッチであることを特徴とする請求項１に記載の真空掃除機。
【請求項１２】
前記本体は、
側面に形成されて、前記モータによって放出される空気を排出するための排出口と、
前記排出口を介して放出された空気を上方に方向を転換させるダクトを有する空気排出口と
を含むことを特徴とする請求項１に記載の真空掃除機。
【発明の詳細な説明】
【技術分野】
【０００１】
本発明は、真空掃除機に関し、特に、隙間あるいは真空掃除機の吸着部が入れない空間などで吸引ホースとの接続が解除されると、ブラシの動作は止まり、再び接続されると、ブラシが動作する真空掃除機(Vacuum Cleaner)に関する。
【背景技術】
【０００２】
一般に真空掃除機は、モータを用いて塵埃、ほこりなどの異物を吸引することによって、周辺環境を清潔にする。
【０００３】
このような真空掃除機は、大型、中型及び小型に分類される。ここで小型の真空掃除機は体積が小さいため携帯性がよく、自動車のような狭い空間の室内を掃除するのに用いられ、体積が小さくて配置が容易である利点を有する。
【０００４】
さらに、近来には、布団やカペットなどのように、ほこりまたは塵埃の吸引しやすい纎維質を掃除するために用いられるが、このような纎維質には細菌及びダニのような害虫を殺菌及び殺虫のために紫外線ランプが装着されている。
【０００５】
図１に示すように、小型真空掃除機は、本体１０と、本体１０の内部に結合され、異物を吸引するためのモータ２０と、本体１０の吸込口と接続されて異物を吸引する吸着部５０と、吸着部５０に結合されるブラシ４０と、ブラシ４０の前方に位置する紫外線ランプ３０と、異物を収容する集塵ボックス６０とを含む。
【０００６】
したがって、このような真空掃除機はモータを駆動させて前方に位置する吸着部と接続された吸引通路を用いて異物を吸引する。そして、吸引した異物はモータの前方に位置するフィルタに積層される。さらに紫外線ランプから紫外線を照射して殺菌及び殺虫することになる。
【０００７】
しかしながら、従来では、ブラシの動作が必要ないのに、ブラシだけの動作を中止することができない問題点があった。
【発明の開示】
【発明が解決しようとする課題】
【０００８】
本発明は、これらの問題を解決するために創出されたものであって、隙間または吸着部が出入りできない場所で使用する場合、異物排出口に結合した吸引ホースの結合を解除することで、吸引ホースのスイチ突起によりブラシスイッチがオフされ、また異物排出口に吸引ホースが結合されると、スイッチ突起によりブラシスイッチがオンされる真空掃除機を提供する。
【課題を解決するための手段】
【０００９】
本発明は、内部に位置して空気を吸引するモータと前記モータの空気吸引のために後方に形成される吸込口と異物を吸引するために前方に形成される吸着部と前記吸着部に形成される異物排出口を有する本体と、両端が前記吸込口と前記異物排出口とに結合され、吸引通路の役割をする吸引ホースと、前記吸着部に結合され、織物及び掃除部のほこりを叩くためにブラシモータで駆動されるブラシと、前記異物排出口と前記吸引ホースとの接続可否により前記ブラシモータを制御するブラシスイッチとを含む。
【００１０】
また前記吸引ホースは前記異物排出口と結合される部位に形成され、前記ブラシスイッチにオン(ON)、オフ(OFF)させるスイッチ突起を含むことが好ましい。
【００１１】
このとき、前記本体は、前記吸着部前方に結合されたランプハウジングと、前記ランプハウジングに装着され、殺菌消毒のための紫外線ランプをさらに含むことが好ましい。
【００１２】
また前記ランプハウジングは、前記本体に一体となった一体型であることが好ましい。ここで、前記紫外線ランプは、前記ブラシスイッチによって制御されることが好ましい。
【００１３】
また前記紫外線ランプは、前記モータを制御するメインスイッチによって制御されることが好ましい。そして、前記紫外線ランプは、前記ランプハウジングが分離型の場合、前記紫外線ランプに電源が供給できるように電源接続のための電源端子と、前記電源端子と結合され、電源を制御するランプスイッチとを含むことが好ましい。
【００１４】
ここで、前記紫外線ランプは、地面の接触時にスイッチングされるランプスイッチを含むことが好ましい。このような前記本体には、前記本体の後方に突出するように結合した集塵ボックスと、前記集塵ボックスの一側にヒンジで結合され、他側には締結結合される締結部を有する蓋を含むことが好ましい。
【００１５】
このような前記本体には、前記ブラシの動作を表示するブラシランプと、前記紫外線ランプの動作を表示する紫外線動作ランプと、前記モータの駆動により真空状態を表示するモータランプとを含むことが好ましい。そして、前記ブラシスイッチは、前記吸引ホースを検知する検知式スイッチであることが好ましい。
【００１６】
この場合、前記本体は、側面に形成され、前記モータにより放出される循環空気を排出させるための排出口と、前記排出口を介して放出される循環空気を上方へ方向を転換させるダクトを有する空気排出口を含むことが好ましい。
【発明の効果】
【００１７】
本発明は、本体と吸引部とを吸引ホースで接続し、隙間または吸着部が入れない場所で使用する場合に、異物排出口に結合された吸引ホースの結合を解除することで、ブラシの動作が中止でき、再び結合することでブラシが動作するようにすることで、簡便にブラシが動作できる効果を提供する。
【発明を実施するための最良の形態】
【００１８】
以下、添付した図面を参照して本発明に係る真空掃除機を詳しく説明する。
【００１９】
図２は本発明に係る真空掃除機の実施形態を示す斜視図であり、図３は図２の実施形態を示す断面図であり、図４は図２の実施形態を示す平面図であり、図５は図２の実施形態のブラシスイッチを示す断面図であり、図６は図２の実施形態の動作関係を説明するための回路図である。
【００２０】
図２ないし図４に示すように、本実施形態は、前方に結合された吸着部１３０と、内部にモータ１１６が具備されて異物を吸引するための本体１１０と、両端が吸着部１３０及び異物排出口１３４に結合される吸引ホース１２０と、吸着部１３０に結合されるブラシ１４０と、ブラシ１４０の前方に位置する紫外線ランプ１５０と、ブラシ１４０と電気的に接続されてブラシ１４０の動作を表示するブラシランプ１４３と、紫外線ランプ１５０の動作を表示する紫外線動作ランプ１５５と、モータ１１６の動作で真空状態を表示するモータランプ１１９とを含む。
【００２１】
ここで、紫外線自動ランプ１５５、モータランプ１１９、ブラシランプ１４３は、ブラシ１４０、モータ１１６、紫外線ランプ１５０の動作を使用者に知らせて必要でない動作を防止できるようにする。
【００２２】
本体１１０は、内部に位置して異物を吸引するためのモータ１１６と、前方に結合された吸着部１３０と、本体１１０の後方側面に形成される吸込口１１４と、本体１１０の後方に突出するように結合され、異物を収去する集塵ボックス１６０と、モータ１１６によって外部に放出する循環空気によって異物が浮遊することを防止する空気排出口１１８とを含む。
【００２３】
また本体１１０と吸着部１３０の底面には車輪１１７が形成され、また携帯性をよくするために紐が結合することができる。ここで、車輪１１７は使用時に地面との摩擦力を最小化させる。
【００２４】
モータ１１６は、本体１１０の内部に結合され、異物が吸引できるように真空状態を形成するブロワが結合される。このモータ１１６はメインスイッチＳ１０によって駆動される。
【００２５】
ここで、ブロワは、モータ１１６の出力軸に結合されて真空状態を形成させる装置である。このように、モータ１１６にブロワを結合させて本体１１０の内部を真空状態にして異物を吸引することができる。このブロワは一般に公知されたものであって、ここでは詳細な説明を省略する。
【００２６】
吸着部１３０は本体１１０の前方に位置して横長に形成される。この吸着部１３０は、吸込口１１４とホースとで接続されて異物が吸引できるように異物吸込口１３２と異物排出口１３４とを含む。
【００２７】
この吸着部１３０は横長に形成された異物吸込口１３２を介して異物が吸引され、再び異物排出口１３４を介して本体１１０の後方に形成された吸込口１１４に流入される。
【００２８】
吸込口１１４は、本体１１０の後方に形成され、異物排出口１３４を介して排出された異物を本体１１０の内部に流入する入口の役割をする。
【００２９】
空気排出口１１８は、本体１１０の側面に形成され、空気が排出される排出口１１８ａと、排出口１１８ａ側に形成されて、排出口１１８ａから放出される空気を上向に転換させるダクト１１８ｂを含む。
【００３０】
このような空気排出口１１８は、モータ１１６により放出される空気によって異物が浮遊しないように空気の流れを上向に転換させる。
【００３１】
集塵ボックス１６０は、本体１１０の後方に突出するように結合されて、一側がヒンジ１６２で結合し、他側が締結結合した締結部１６４を有する蓋を含む。
【００３２】
この蓋１６１は、集塵ボックス１６０に異物の量が多くなれば、容易に締結部１６４の結合を解除して異物を捨てることができる利点がある。
【００３３】
このような集塵ボックス１６０は、透明に形成して集塵ボックス１６０の内部に異物の充填状態が分かるようにする。
【００３４】
吸引ホース１２０は、吸着部１３０の異物排出口１３４と本体１１０の後方に形成された吸込口１１４とを接続して異物の移動通路の役割をし、隙間または吸着部１３０が入れない場所での使用時に、吸引ホース１２０を脱着して異物を吸引することができるようにする。
【００３５】
この吸引ホース１２０には、ブラシスイッチＳ２０を動作させるためのスイッチ突起１２２を含む。
【００３６】
ブラシ１４０は、織物及び掃除部のほこりを叩くために吸着部１３０に結合され、ブラシ１４０を駆動させるブラシモータ１４２と、吸引ホース１２０が吸着部１３０の異物排出口１３４との接続可否によってブラシモータ１４２を制御するブラシスイッチＳ２０とを含む。ここで、ブラシモータ１４２は交流７０Ｗの出力を有する。
【００３７】
図５に示すように、ここで、ブラシスイッチＳ２０は、本体の側面に形成される移動空間に結合され、移動空間の下端部に形成された−端子１２５及び＋端子１２７と、ブラシスイッチＳ２０に弾性力を発するスプリング１２４とを含む。
【００３８】
このブラシスイッチＳ２０は、吸引ホース１２０が異物排出口１３４に結合された際、ブラシスイッチＳ２０がオンになってブラシ１４０が動作できるようにし、吸引ホース１２０が異物排出口１３４から結合解除した際、ブラシスイッチＳ２０がオフとされることで、ブラシ１４０の動作を中止させる。このようなブラシスイッチＳ２０はプッシュボタンスイッチ(Push button)である。
【００３９】
より詳しくは、異物排出口１３４に吸引ホース１２０を挿入して結合させると、吸引ホース１２０のスイッチ突起１２２がブラシスイッチＳ２０を押し、ブラシスイッチＳ２０は移動空間１２６を移動しながらスプリング１２４を圧縮し、移動空間１２６の内部に離隔設置された−端子１２５と＋端子１２７は電気的に接続し、ブラシモータ１４２が駆動できる。
【００４０】
そして、異物排出口１３４から吸引ホース１２０の結合を解除すると、スイッチ突起１２２による押し状態が解除されるが、このとき、ブラシスイッチＳ３０は圧縮されていたスプリング１２４の弾性力により元の位置にリターンされる突出状態を維持することになり、スイッチ突起１２２によって圧縮していたスプリング１２４の圧縮が解除され弾性力が発生する。
【００４１】
したがって、移動空間１２６内の−端子１２５と＋端子１２７はブラシスイッチＳ２０のリターンによってその電気的接続が解除され、これによりブラシの電源供給が遮断される。そして、−端子１２５と＋端子１２７の接続を解除させることによって、素早く電源は遮断させる。
【００４２】
一方、ブラシスイッチＳ２０は、吸引ホース１２０の結合有無を検知する検知式スイッチを用いることができる。このような検知式スイッチは光を検知したり、物理的な動作を検知またはタッチされた際に検知したりしてスイッチングされる。
【００４３】
したがって、ブラシスイッチＳ２０は、接触センサ、光検知センサ、動作検知センサなどが用いられる。
【００４４】
紫外線ランプ１５０は、吸着部１３０の前方に結合されているランプハウジング１５２に結合され、メインスイッチＳ１０によって動作する。ランプハウジング１５２は吸着部１３０の前方に一体に結合される。
【００４５】
図７は本発明に係る真空掃除機の他の実施形態を示す断面図である。
【００４６】
図７または図９に示すように、本実施形態においてランプハウジング１５２は一体型に結合されたが、これと異なる実施形態として分離型で形成される。
【００４７】
このような分離型ランプハウジング１５２は、ハウジング突起１５４が形成されて吸着部１３０の表面に形成されたホーム１３７にスライディング結合される。この場合、電源を接続するために電源端子１３６とランプスイッチＳ３０とを含む。
【００４８】
電源端子１３６は、メインスイッチＳ１０の電源を制御するランプスイッチＳ３０と接続されたホーム端子１３７に接触される。このように接続された電源端子１３６はホームに設けられたホーム端子１３７と接続されることで、紫外線ランプ１５０に電源が供給される。
【００４９】
このようなランプスイッチは、メインスイッチＳ１０とホーム端子１３７間に接続されて電源を制御する。
【００５０】
図８は本発明に係る真空掃除機の紫外線ランプの他の実施形態を説明するための回路図である。
【００５１】
図８に示すように、本実施形態ではメインスイッチにより紫外線ランプ１５０を動作させていたが、これと異なって、ブラシスイッチＳ２０により動作することができるようにする。このブラシスイッチＳ２０により動作することで、隙間または吸着部１３０が入れない場所で使用する場合、吸着部１３０の異物排出口１３４に結合された吸引ホース１２０の結合を解除すると、ブラシ１４０の動作も中止され、紫外線ランプ１５０の動作も中止される。したがって、紫外線ランプ１５０の動作が必要でない場合に紫外線ランプ１５０を消すことができて、電力消耗を低減することができる。
【００５２】
図９は本発明に係る真空掃除機の紫外線ランプのさらに他の実施形態を説明するための回路図であり、図１０は図９の実施形態を示す断面図である。
【００５３】
図９に示すように、本実施形態においてはメインスイッチＳ１０により紫外線ランプ１５０が直接電源を供給受けていたが、これとは、さらに他の実施形態としてメインスイッチＳ１０と紫外線ランプ１５０間に結合されて紫外線ランプ１５０を制御するランプスイッチＳ３０を含む。
【００５４】
このとき、ランプスイッチＳ３０は、本体１１０に内蔵される内臓型とするか、または本体１１０に結合されない外装型とするかのうち、いずれか一つに形成される。
【００５５】
図１０に示すように、ランプスイッチＳ３０は、地面に接触する際に「オン」となるスイッチである。このようなスイッチとしてプッシュボタンスイッチが用いられる。
【００５６】
ランプスイッチＳ３０は、車輪１１７と地面とが接触する瞬間、車輪１１７がランプスイッチＳ３０を押し、ランプスイッチＳ３０と−ランプ端子１５７及び＋ランプ端子１５６が接触されて電源が印加される。これにより、紫外線ランプ１５０は動作し、再び本実施形態を地面から離隔させと、車輪１１７が押していたランプスイッチＳ３０が解除されることになり、この場合、スプリング１５７によりランプスイッチＳ３０が再び元の状態にリターンされる。
【００５７】
このように、ランプスイッチＳ３０が元の状態にリターンされることで、−ランプ端子１５７及び＋ランプ端子１５６の接続が切られて、紫外線ランプ１５０の動作が中止される。
【００５８】
このように、車輪１１７を地面に接触させるとオンとなり、地面から離隔されるとオフとさせる理由は、紫外線ランプ１５０からの紫外線が人間の肌と目に有害であるため、地面に接触している場合にランプスイッチＳ３０を「オン」させ、地面から離れた場合に使用者の肌または目に中らないようにランプスイッチＳ３０を「オフ」とさせ、紫外線の放射を最大限抑制させる。
【００５９】
一方、ランプスイッチＳ３０は、光を検知する接触センサ、光検知センサ、ワンタッチセンサなどを用いることができる。
【００６０】
よって、接触センサ、光検知センサ、ワンタッチセンサを利用したランプスイッチＳ３０を用いて車輪１１７と地面との接触可否によって紫外線ランプ１５０を自動化することができる。より詳しくは、紫外線ランプ１５０からの紫外線が使用者の肌と目に有害であるために地面に接触した場合にランプスイッチＳ３０が「オン」し、地面に接触しない場合には「オフ」とさせる。
【００６１】
また車輪１１７が地面に接触する瞬間にスイッチングされ、地面から離れた瞬間にスイッチングされたものがオフするので、容易にスイッチングすることができる。
【００６２】
以下、添付した図面を参照して、本発明に係る実施形態の動作関係を説明する。
【００６３】
図２ないし図６に示すように、本実施形態は、車または室内のような空間を掃除するために使用者がメインスイッチＳ１０をつけると、モータ１１６が駆動しながら空気を吸い込む。このとき、モータ１１６の動作により真空状態を表示するモータランプ１１９がオンされ、真空状態を表示する。
【００６４】
この場合、一側が吸込口１１４に結合され、他側が物質排出口１３４に接続された吸引ホース１２０により吸引力が異物吸込口１３２に伝達されて異物を吸引することになる。
【００６５】
このように吸引した異物は、本体１１０の内部に流入されて集塵ボックス１６０に収去される。
【００６６】
ここで、通常は吸引ホース１２０を異物排出口１３４に結合して使用するが、吸着部１３０が入れない場所または隙間の間の異物を除去するためには、吸引ホース１２０を異物排出口１３４の結合から解除して使用する。
【００６７】
そして、吸引ホース１２０を異物排出口１３４に結合した場合は、吸引ホース１２０のスイッチ突起１２２によりスイッチが移動空間１２６を移動して−端子１２５と＋端子１２７とを接続することによって、ブラシモータ１４２が駆動される。そして、このとき、ブラシモータ1４２が駆動すると共に、ブラシランプ１４３に電気がついて真空状態であることを表示する。
【００６８】
一方、吸引ホース１２０を異物排出口１３４から解除すると、吸引ホース１２０のスイッチ突起１２２のスイッチが移動空間１２６を移動し、−端子１２５と＋端子１２７との接続を解除させ、ブラシモータ１４２の動作を中止させてブラシ１４０の動作が止まる。そして、このとき、ブラシランプ１４３は消える。
【００６９】
またメインスイッチＳ１０をオンとした場合、紫外線ランプ１５０に電源が印加されて紫外線ランプ１５０がついて、殺菌及び殺虫をすることになる。このとき、紫外線ランプ１５０の動作を表示する紫外線動作ランプ１５５がつく。
【００７０】
使用後、集塵ボックス１６０に異物が一杯になったら締結部の結合を解除して簡便に異物を捨てることができる。
【図面の簡単な説明】
【００７１】
【図１】従来の真空掃除機を示す平面図である。
【図２】本発明に係る真空掃除機の実施形態を示す斜視図である。
【図３】図２の実施形態を示す断面図である。
【図４】図２の実施形態を示す平面図である。
【図５】図２の実施形態のブラシスイッチを示す断面図である。
【図６】図２の実施形態の動作関係を説明するために示す回路図である。
【図７】本発明に係る真空掃除機の他の実施形態を示す断面図である。
【図８】本発明に係る真空掃除機の紫外線ランプの他の実施形態を説明するために示す回路図である。
【図９】本発明に係る真空掃除機の紫外線ランプのさらに他の実施形態を説明するために示す回路図である。
【図１０】図９の実施形態を示す断面図である。
【符号の説明】
【００７２】
１１０  本体                        １２０  吸引ホース
１３０  吸着部                      １４０  ブラシ
１５０  紫外線ランプ                １６０  集塵ボックス
Ｓ１０  メインスイッチ              Ｓ２０  ブラシスイッチ
Ｓ３０  ランプスイッチ
【図１】
0005425430.tif 000002
【図２】
0005425430.tif 000003
【図３】
0005425430.tif 000004
【図４】
0005425430.tif 000005
【図５】
0005425430.tif 000006
【図６】
0005425430.tif 000007
【図７】
0005425430.tif 000008
【図８】
0005425430.tif 000009
【図９】
0005425430.tif 000010
【図１０】
0005425430.tif 000011